(57)【要約】【課題】時間や場所を問わず容易に変色可能な可逆変色玩具を提供する。【解決手段】模擬フライパン本体部１１に開閉自在に取り付けられた蓋１２の内側に紫外発光ダイオード１２Ｄを設ける。蓋１２を閉じたときに導電体１１Ａと電極端子板１２Ｃが接触することによって導通状態となり紫外発光ダイオード１２Ｄから紫外線が照射される。紫外線感応色素を塗布された模擬食物１３を模擬フライパン本体部１１上に配置し、蓋１２を閉じて紫外線を照射することによって、恰も調理しているかのように模擬食物１３の色を変色させる。【選択図】図１
2007075239.tif 000002
【特許請求の範囲】
【請求項１】
開閉可能な容器体と、
前記容器体の内部に収容可能で紫外線の照射により変色する紫外線感応色素を有する形象物と、
前記容器体の内側に配された紫外発光部と、
前記容器体が閉じたことを検知する検知手段と、
前記検知手段により前記容器体が閉じたことが検知されたときに、前記紫外発光部を駆動して前記容器体内部の前記形象物に向けて紫外線を照射可能とする駆動部と
を備えることを特徴とする可逆変色玩具。
【請求項２】
請求項１記載の可逆変色玩具であって、
前記紫外発光部は、前記容器体の内側に指向されていることを特徴とする可逆変色玩具。
【請求項３】
請求項１または請求項２記載の可逆変色玩具であって、
前記紫外発光部は、紫外発光ダイオードであることを特徴とする可逆変色玩具。
【請求項４】
請求項１乃至請求項３の何れかに記載の可逆変色玩具であって、
前記形象物は、炊事玩具、買い物玩具、服飾玩具、人形玩具、乗り物玩具、家具玩具、ロボット玩具、カード玩具、塗り絵玩具、ブロック玩具、スポーツ玩具、教育玩具、印刷玩具、戦闘玩具の何れかであることを特徴とする可逆変色玩具。
【請求項５】
請求項４記載の可逆変色玩具であって、
前記容器体は、前記形象物と組み合わされて、炊事玩具、買い物玩具、服飾玩具、人形玩具、乗り物玩具、家具玩具、ロボット玩具、カード玩具、塗り絵玩具、ブロック玩具、スポーツ玩具、教育玩具、印刷玩具、戦闘玩具の何れかを構成することを特徴とする可逆変色玩具。
【発明の詳細な説明】
【技術分野】
【０００１】
本発明は、可逆変色玩具に関するものである。
【背景技術】
【０００２】
近年、例えば、玩具表面に感熱色素等を塗布し、遊戯者が該玩具を冷却したり、または加熱したりすることによって玩具を変色させて楽しむという可逆変色玩具が提供されている（第１従来技術）。
【０００３】
また、例えば、感熱色素に代えて紫外線感応色素を塗布することによって、遊戯者が該玩具を太陽光に曝したり太陽光を遮ったりすることによって玩具を可逆変色させて楽しむという可逆変色玩具も提供されている（第２従来技術）。
【発明の開示】
【発明が解決しようとする課題】
【０００４】
しかしながら、上述の第１従来技術に於いては、冷水や氷等の冷却手段または温水やヒータ等の加熱手段を別途用意せねばならず、使い勝手が悪いという問題がある。
【０００５】
また、上述の第２従来技術に於いては、太陽光の届かない屋内や日没後には遊ぶことができないという問題がある。
【０００６】
本発明は、上記の課題に鑑みてなされたものであり、時間や場所を問わず容易に変色可能な可逆変色玩具を提供することにある。
【課題を解決するための手段】
【０００７】
上記課題を解決するために、請求項１記載の発明は、開閉可能な容器体と、前記容器体の内部に収容可能で紫外線の照射により変色する紫外線感応色素を有する形象物と、前記容器体の内側に配された紫外発光部と、前記容器体が閉じたことを検知する検知手段と、前記検知手段により前記容器体が閉じたことが検知されたときに、前記紫外発光部を駆動して前記容器体内部の前記形象物に向けて紫外線を照射可能とする駆動部とを備えるものである。
【０００８】
請求項２記載の発明は、請求項１記載の可逆変色玩具であって、前記紫外発光部は、前記容器体の内側に指向されているものである。
【０００９】
請求項３記載の発明は、請求項１または請求項２記載の可逆変色玩具であって、前記紫外発光部として、紫外発光ダイオードを用いたものである。
【００１０】
請求項４記載の発明は、請求項１乃至請求項３の何れかに記載の可逆変色玩具であって、前記形象物は、炊事玩具、買い物玩具、服飾玩具、人形玩具、乗り物玩具、家具玩具、ロボット玩具、カード玩具、塗り絵玩具、ブロック玩具、スポーツ玩具、教育玩具、印刷玩具、戦闘玩具の何れかである。
【００１１】
請求項５記載の発明は、請求項４記載の可逆変色玩具であって、前記容器体は、前記形象物と組み合わされて、炊事玩具、買い物玩具、服飾玩具、人形玩具、乗り物玩具、家具玩具、ロボット玩具、カード玩具、塗り絵玩具、ブロック玩具、スポーツ玩具、教育玩具、印刷玩具、戦闘玩具の何れかを構成するものである。
【発明の効果】
【００１２】
請求項１記載の発明に依れば、容器体の内側に配された紫外発光部から紫外線を照射することによって内部に収容された形象物を変色させ得るので、時間や場所を問わず容易に変色させることが可能となる。また、容器体が開放されたことを検知する検知手段を備え、容器体が開放した状態では紫外発光ダイオードが紫外線を照射しないようになっているので、遊戯者が誤って紫外線に曝されることがない。
【００１３】
請求項２記載の発明に依れば、紫外発光部は内側に指向されているので、形象物を収容した状態であれば、紫外線が外部に漏れ出ることを抑えることが可能となる。
【００１４】
請求項３記載の発明に依れば、紫外発光部として紫外発光ダイオードを用いているので、安価に製造することが可能となる。
【００１５】
請求項４記載の発明の依れば、形象物が、炊事玩具、買い物玩具、服飾玩具、人形玩具、乗り物玩具、家具玩具、ロボット玩具、カード玩具、塗り絵玩具、ブロック玩具、スポーツ玩具、教育玩具、印刷玩具、戦闘玩具の何れかであるので、更に興趣性の高い玩具を提供することが可能となる。
【００１６】
請求項５記載の発明に依れば、容器体が、形象物と組み合わされて、炊事玩具、買い物玩具、服飾玩具、人形玩具、乗り物玩具、家具玩具、ロボット玩具、カード玩具、塗り絵玩具、ブロック玩具、スポーツ玩具、教育玩具、印刷玩具、戦闘玩具の何れかを構成するので、更に興趣性の高い玩具を提供することが可能となる。
【発明を実施するための最良の形態】
【００１７】
｛第１実施形態｝
〈構成〉
図１は、本発明の第１実施形態に係る可逆変色玩具を示す図であり、図２は、その回路構成図である。図１に示す如く、この可逆変色玩具１０は、例えば、模擬フライパン本体部（容器体）１１と、模擬フライパン本体部１１と蝶番等によって開閉自在に接続された蓋（容器体）１２と、模擬フライパン本体部１１の内部に収容配置可能な模擬食物（形象物）１３を備えて構成されている。
【００１８】
模擬フライパン本体部１１は、例えば、蝶番（図示省略）等によって開閉可能な蓋１２を有している。
【００１９】
模擬フライパン本体部１１は、後述する蓋１２と蝶番（図示省略）等が閉じているときに接触する部位（例えば、模擬フライパン本体部１１の底部）には導電体１１Ａが設けられている。
【００２０】
蓋１２は、例えば、本物のフライパン蓋の把手に当たる部位に設けられた主電源スイッチ１２Ａと、その近傍で主電源スイッチ１２ＡがＯＮ状態であるときに点灯する電源確認ＬＥＤ１２Ｂと、蓋１２が閉じているときに模擬フライパン本体部１１と接触する部位（例えば、蓋１２の縁部）に設けられた電極端子板（検知手段）１２Ｃと、蓋１２の内側に設けられた紫外発光ダイオード（紫外発光部）１２Ｄを備え、図２に示す如く、電源２１と、コンデンサ２２とタイマ２３と合わせて電気回路２０が構築されている。尚、図２に於いて、導電体１１Ａと電極端子板１２Ｃにより検知手段が構成され、電源２１、主電源スイッチ１２Ａ、コンデンサ２２及びタイマ２３により駆動部が構成されている。
【００２１】
電源２１は、例えば、市販の乾電池等が適用されて、電源確認ＬＥＤ１２Ｂ、紫外発光ダイオード１２Ｄ、コンデンサ２２及びタイマ２３に給電するものである。
【００２２】
電源確認ＬＥＤ１２Ｂは、例えば、通常の発光ダイオードが適用されて、蓋１２が閉じているときに後述する紫外発光ダイオード１２Ｄが点灯しているか否かを確認するためのものである。
【００２３】
電極端子板１２Ｃは、例えば、蓋１２を閉じたときに導電体１１Ａと接触する部位に設けられており、陽極１２Ｃｐと陰極１２Ｃｎから構成される。主電源スイッチ１２ＡがＯＮ状態であるときに蓋１２を閉じることによって陽極１２Ｃｐと陰極１２Ｃｎが導電体１１Ａを介して接続されて導通状態となる。
【００２４】
紫外発光ダイオード１２Ｄは、例えば、蓋１２の内部に複数個設けられた透明酸化物半導体による発光ダイオードであり、電極端子板１２Ｃが導通状態（即ち、蓋１２が閉じている状態）となっているときに紫外発光して、模擬フライパン本体部１１の底部を照射するようになっている。
【００２５】
タイマ２３は、例えば、ＰＬＬ（Ｐｈａｓｅ  Ｌｏｃｋｅｄ  Ｌｏｏｐ）回路等を用いて電極端子板１２Ｃが導通状態となってから予め定められた時間だけ計時を行うと共に、電極端子板１２Ｃが導通状態となった時から所定時間だけ電源確認ＬＥＤ１２Ｂ及び紫外発光ダイオード１２Ｄに給電するものである。
【００２６】
模擬食物１３は、例えば、図１に示す如く、目玉焼きの形状をして模擬フライパン本体部１１上に収容配置可能な大きさとなっている。模擬食物１３は、常温で卵白の部位は白色、卵黄の部位は黄色となっており、紫外線が照射されることによって卵黄の部位が黄色から白色に変色するように紫外線感応色素が塗布されている。
【００２７】
尚、紫外線感応色素は、必ずしも模擬食物１３の表面に塗布されている必要はなく、模擬食物１３を、例えば、合成樹脂等で成形する際に混合させても良い。
【００２８】
〈動作〉
上記構成の可逆変色玩具１０の動作を説明する。
【００２９】
まず、模擬食物１３を模擬フライパン本体部１１に収容配置した状態で主電源スイッチ１２ＡをＯＮ状態にする。
【００３０】
そして、蓋１２を閉じると、導電体１１Ａと蓋１２の電極端子板１２Ｃが接触して導通状態となり、予めタイマ２３によって定められた時間だけ紫外発光ダイオード１２Ｄが点灯する。
【００３１】
これにより、模擬食物１３表面に塗布された紫外線感応色素が黄色から白色へと、恰も目玉焼きを調理したかのように変色する。
【００３２】
以上のように、蓋１２の内側に配された紫外発光ダイオード１２Ｄによって内部に収容された模擬食物１３を変色させ得るので、時間や場所を問わずに容易に変色させることが可能となる。また、蓋１２が閉じたことを検知するための導電体１１Ａと、電極端子板１２Ｃを備え、蓋１２が開いた状態では紫外発光ダイオードが紫外線を照射しないようになっているので、遊戯者が誤って紫外線に曝されることがない。
【００３３】
また、紫外発光ダイオード１２Ｄは内側に指向されているので、模擬食物１３を収容した状態であれば、紫外線が外部に漏れ出ることを抑えることが可能となる。
【００３４】
｛第１変形例｝
上述の第１実施形態に於いては、模擬フライパン本体部１１に蓋１２を閉じた状態で紫外発光ダイオード１２Ｄが点灯するようにしたが、更に、例えば、これら模擬フライパン本体部１１及び蓋１２と別体のガスコンロ玩具を組み合わせて、模擬フライパン本体部１１に蓋１２を被せた状態で且つ、模擬フライパン本体部１１をガスコンロ玩具に接続した状態となったときに紫外発光ダイオード１２Ｄが点灯するようにすれば、更に興趣性に富んだ可逆変色玩具を提供することが可能となる。
【００３５】
｛第２変形例｝
上述の第１実施形態に於いては、模擬フライパン本体部１１と蓋１２の内側に於いて模擬食物１３を変色させたが、例えば、図３に示す如く、模擬レンジ本体部（容器体）３１の中に魚を模した模擬食物（形象物）３３を収容して変色させても良い。
【００３６】
この場合、ドア（容器体）３２の内側に導電体１１Ａが設けられており、模擬レンジ本体部３１には、導電体１１Ａと相対する位置に電極端子板１２Ｃが設けられている。
【００３７】
そして、ドア３２を閉じた状態で主電源スイッチ１２ＡをＯＮ状態にするか、または主電源スイッチ１２ＡがＯＮ状態であるときにドア３２を閉じることによって、紫外発光ダイオード１２Ｄが点灯し、内部に収容配置された模擬食物３３を例えば、白色から赤色等に変色することが可能となる。このとき、タイマ２３によって予め定められた時間が経過したときに音を吹鳴する等しても良い。
【００３８】
｛第２実施形態｝
〈構成〉
図４は、本発明の第２実施形態に係る可逆変色玩具を示す図である。図４に示す如く、この可逆変色玩具４０は、例えば、人形（形象物）４１と、人形４１を収容可能なケース（容器体）４２を備えて構成されている。
【００３９】
尚、第１実施形態と同様の機能を有する要素については同一符号を付し、その説明を省略する。
【００４０】
人形４１は、例えば、ドレスを着飾った女性を模して形成され、頭髪４１Ａ、瞳４１Ｂ、口唇４１Ｃ、指爪４１Ｄ等には紫外線感応色素が塗布されている。更に、ドレス４１Ｅ、ハイヒール４１Ｆ、ティアラ４１Ｇ、ペンダント４１Ｈ、リボン４１Ｉ等を身に纏い、これらのうち少なくとも１つにも紫外線感応色素が塗布されており、紫外線を照射されることによって可逆変色するようになっている。
【００４１】
尚、紫外線感応色素は、必ずしも人形４１の表面に塗布されている必要はなく、頭髪４１Ａ、ドレス４１Ｅ、リボン４１Ｉ等を形成する繊維を予め紫外線感応色素に浸けたり、ハイヒール４１Ｆ、ティアラ４１Ｇ、ペンダント４１Ｈ等を形成する合成樹脂を成形する際に紫外線感応色素を混合させても良い。
【００４２】
ケース４２は、例えば、内部が空洞の略円柱形に形成されてその長手方向を軸とする蝶番４３等によって開閉自在となっており、内部に人形４１を収容可能となっている。
【００４３】
ケース４２の上面には、例えば、主電源スイッチ１２Ａと電源確認ＬＥＤ１２Ｂが配されている。ケース４２の側面には、例えば、把手４４が配されており、ケース４２の開閉や持ち運びが容易に行えるようになっている。ケース４２を開いたときに相対する位置には、陽極１２Ｃｐと陰極１２Ｃｎから成る電極端子板１２Ｃ及び導電体１１Ａが配されており、ケース４２を開閉することによって、電極端子板１２Ｃの非導通状態と導通状態を切り替えるようになっている。
【００４４】
ケース４２の内側には、複数（例えば、２４個）の紫外発光ダイオード１２Ｄが等間隔で配されており、人形４１を収容した状態で紫外発光ダイオード１２Ｄを点灯させることによって、人形４１に対して紫外線を隈無く照射することが可能となっている。
【００４５】
〈動作〉
上記構成の可逆変色玩具４０の動作を説明する。
【００４６】
まず、主電源スイッチ１２ＡをＯＮ状態として人形４１をケース４２の内部に収容する。その後、ケース４２を閉じることによって、導電体１１Ａと電極端子板１２Ｃが導通状態となり、紫外発光ダイオード１２Ｄが点灯する。
【００４７】
これにより、人形４１表面に塗布された紫外線感応色素が感応して、恰も更衣や化粧をしたかのように変色する。
【００４８】
以上のように、ケース４２の内側に配された紫外発光ダイオード１２Ｄによって内部に収容された人形４１を変色させ得るので、時間や場所を問わずに容易に変色させることが可能となる。また、ケース４２が閉じたことを検知するための導電体１１Ａと電極端子板１２Ｃを備え、ケース４２が開いた状態では紫外発光ダイオード１２Ｄが紫外線を照射しないようになっているので、遊戯者が誤って紫外線に曝されることがない。
【００４９】
また、紫外発光ダイオード１２Ｄは内側に指向されているので、人形４１を収容した状態であれば、紫外線がケース４２の外部に漏れ出ることを抑えることが可能となる。
【００５０】
尚、本発明は、上述したような炊事玩具や、人形玩具に限られるものではなく、形象物単独で、或いは容器体と組み合わされることにより、買い物玩具、服飾玩具、乗り物玩具、家具玩具、ロボット玩具、カード玩具、塗り絵玩具、ブロック玩具、スポーツ玩具、教育玩具、印刷玩具、戦闘玩具の何れかが構成されるものであっても良い。これらの玩具を変色可能とすることによって、更に興趣性の高い玩具を提供することが可能となる。
【図面の簡単な説明】
【００５１】
【図１】本発明の第１実施形態に係る可逆変色玩具を示す図である。
【図２】本発明の第１実施形態に係る可逆変色玩具の回路構成を示す図である。
【図３】本発明の第１変形例に係る可逆変色玩具を示す図である。
【図４】本発明の第２実施形態に係る可逆変色玩具を示す図である。
【符号の説明】
【００５２】
１０  可逆変色玩具
１１  模擬フライパン本体部
１１Ａ  導電体
１２  蓋
１２Ａ  主電源スイッチ
１２Ｂ  電源確認ＬＥＤ
１２Ｃ  電極端子板
１２Ｃｐ  陽極
１２Ｃｎ  陰極
１２Ｄ  紫外発光ダイオード
１３  模擬食物
２１  電源
２２  コンデンサ
２３  タイマ
４０  可逆変色玩具
４１  人形
４２  ケース
【図１】
2007075239.tif 000003
【図２】
2007075239.tif 000004
【図３】
2007075239.tif 000005
【図４】
2007075239.tif 000006